(57)【要約】【課題】複数の当該サーバに事業者情報を登録しなければならない。【解決手段】第一の検索サーバと、第一の広告サーバと、第二の検索サーバと、第二の広告サーバとを備える広告システムであって、第一の広告サーバは、広告情報格納部と、広告情報抽出部とを有し、第一の検索サーバは、第一の広告サーバから取得した第一の広告情報を含むウェブページをクライアントに出力し、第二の広告サーバは、広告情報格納部と、広告情報更新部と、広告情報抽出部とを有し、第二の検索サーバは、第二の広告サーバから取得した第一の広告情報および第二の広告情報を含むウェブページをクライアントに出力する。【選択図】図１
2008040692.tif 000002
【特許請求の範囲】
【請求項１】
クライアントに入力された検索語に基づいて、インターネット上のウェブページへのリンク情報を含む第一の広告情報を出力する第一の広告サーバと、
クライアントに入力された検索語に基づいて、インターネット上のウェブページへのリンク情報を含む第二の広告情報を出力する前記第一の広告サーバと異なる第二の広告サーバと
を備える広告システムであって、
前記第一の広告サーバは、
検索語に対応付けて前記第一の広告情報を格納する広告情報格納部と、
検索語が入力された場合に、前記検索語に対応付けて前記広告情報格納部に格納された前記第一の広告情報を抽出し、抽出した第一の広告情報を出力する広告情報抽出部と
を有し、
前記第二の広告サーバは、
検索語に対応付けて前記第二の広告情報を格納する広告情報格納部と、
前記第一の広告サーバの前記広告情報格納部を参照し、前記第一の広告サーバの前記広告情報格納部に格納されている前記検索語に対応付けられた前記第一の広告情報を、前記第二の広告サーバの前記広告情報格納部に格納する広告情報更新部と、
検索語が入力された場合に、前記検索語に対応付けて前記広告情報格納部に格納されている前記第一の広告情報および前記第二の広告情報を抽出し、前記第一の広告情報および前記第二の広告情報を出力する広告情報抽出部と
を有する広告システム。
【請求項２】
クライアントから検索語の入力を受け付けて、第一の検索エンジンによりインターネット上のウェブページを検索した検索結果を出力する第一の検索サーバと、
クライアントから検索語の入力を受け付けて、第二の検索エンジンによりインターネット上のウェブページを検索した検索結果を出力する第二の検索サーバと、
をさらに備え、
前記第一の広告サーバの前記広告情報抽出部は、前記第一の検索サーバにより前記検索語が受け付けられた場合に、前記検索語に対応付けて前記広告情報格納部に格納された前記第一の広告情報を抽出し、前記第一の検索サーバに出力し、
前記第一の検索サーバは、前記検索語に基づいて前記第一の検索エンジンから取得した前記検索結果、および、前記検索語に基づいて前記第一の広告サーバから取得した前記第一の広告情報を含むウェブページを前記クライアントに出力し、
前記第二の広告サーバの前記広告情報抽出部は、前記第二の検索サーバにより前記検索語が受け付けられた場合に、前記検索語に対応付けて前記広告情報格納部に格納されている前記第一の広告情報および前記第二の広告情報を抽出し、前記第二の検索サーバに出力し、
前記第二の検索サーバは、前記検索語に基づいて前記第二の検索エンジンから取得した前記検索結果、並びに、前記検索語に基づいて前記第二の広告サーバから取得した前記第一の広告情報および前記第二の広告情報を含むウェブページを前記クライアントに出力する請求項１に記載の広告システム。
【請求項３】
前記広告システムは、
さらに、
クライアントから入力された文書をウェブページとして公開する文書公開サーバを
備え、
前記文書公開サーバは、
前記第二の広告サーバの広告情報格納部に格納された前記検索語に対応付けて、前記検索語を前記第二の広告サーバに出力する命令を格納する命令格納部と、
前記第二の広告サーバの広告情報格納部に格納された前記検索語を前記文書から抽出する検索語抽出部と、
前記検索語抽出部により抽出された前記文書に含まれる前記検索語のそれぞれに、前記検索語に対応付けて前記命令格納部に格納された前記命令を設定する命令設定部と
を有し、
文書公開サーバは、前記クライアントから前記検索語を受け付けた場合に、当該検索語に対応付けて前記命令設定部により設定された前期命令を実行し、前記検索語を前記第二の広告サーバに出力する請求項１に記載の広告システム。
【請求項４】
前記広告システムは、
さらに、
クライアントから入力された文書をウェブページとして公開する文書公開サーバを
備え、
前記文書公開サーバは、
前記第二の広告サーバの広告情報格納部に格納された前記検索語に対応付けて、前記検索語を前記第二の検索サーバに出力する命令を格納する命令格納部と、
前記第二の広告サーバの広告情報格納部に格納された前記検索語を前記文書から抽出する検索語抽出部と、
前記検索語抽出部により抽出された前記文書に含まれる前記検索語のそれぞれに、前記検索語に対応付けて前記命令格納部に格納された前記命令を設定する命令設定部と
を有し、
文書公開サーバは、前記クライアントから前記検索語を受け付けた場合に、当該検索語に対応付けて前記命令設定部により設定された前期命令を実行し、前記検索語を前記第二の検索サーバに出力する請求項２に記載の広告システム。
【請求項５】
前記広告情報更新部は、
前記第一の広告サーバの前記広告情報格納部に格納されている前記検索語を取得し、
前記検索語に対応する前記第二の広告情報が前記第二の広告サーバの前記広告情報格納部に格納されておらず、前記検索語に対応する前記第一の広告情報が前記第一の広告サーバの前記広告情報格納部に格納されている場合に、前記検索語および前記第一の広告情報を前記第二の広告サーバの前記広告情報格納部に追加して格納し、
前記検索語に対応する前記第二の広告情報が前記第二の広告サーバの前記広告情報格納部に格納されており、前記検索語に対応する前記第一の広告情報が前記第一の広告サーバの前記広告情報格納部に格納されている場合には、前記第一の広告情報を前記第二の広告情報に追加して前記第二の広告サーバに格納する請求項１に記載の広告システム。
【請求項６】
前記広告情報更新部は、定期的に、前記第一の広告サーバの前記広告情報格納部に格納されている前記第一の広告情報を、前記第二の広告サーバの広告情報格納部に格納する請求項１に記載の広告システム。
【請求項７】
前記第二の広告サーバの前記広告情報抽出部は、前記第二の広告情報が前記第一の広告情報よりも優先的に前記クライアントに表示させる出力をする請求項１に記載の広告システム。
【請求項８】
前記第二の広告サーバの前記広告情報抽出部は、前記第一の広告情報および前記第二の広告情報に加え、インターネット上の辞書サーバから取得した前記検索語の意味に関する情報を前記クライアントに表示させる出力をする請求項１に記載の広告システム。
【請求項９】
外部から受け付けた検索語に基づいて、インターネット上のウェブページへのリンク情報を含む広告情報を出力する広告サーバであって、
前記広告サーバは、
検索語に対応付けて一の広告情報を格納する広告情報格納部と、
検索語に対応付けて前記広告サーバと異なる他の広告サーバに格納された、インターネット上のウェブページへのリンク情報を含む他の広告情報を、前記他の広告サーバから取得して前記広告情報格納部に格納する広告情報更新部と、
前記外部から前記検索語を受け付けた場合に、前記検索語に対応付けて前記広告情報格納部に格納されている前記一の広告情報および前記他の広告情報を抽出し、前記外部に出力する広告情報抽出部と
を備える広告サーバ。
【請求項１０】
クライアントから検索語の入力を受け付けて、検索エンジンによりインターネット上のウェブページを検索した検索結果を出力する検索サーバと、
前記検索サーバにより受け付けられた前記検索語に基づいて、インターネット上のウェブページへのリンク情報を含む第一の広告情報を出力する第一の広告サーバと
クライアントにおけるインターネットのブラウザのＵＲＬ入力欄から検索語の入力を受け付けて、前記検索語に基づいて、インターネット上のウェブページへのリンク情報を含む第二の広告情報を出力する第二の広告サーバと
を備えた広告システムであって、
前記第二の広告サーバは、
検索語に対応付けて、前記第二の広告情報を格納する広告情報格納部と、
前記第一の広告サーバの前記広告情報格納部を参照し、前記第一の広告サーバの前記広告情報格納部に格納されている前記検索語に対応付けられた前記第一の広告情報を、前記第二の広告サーバの前記広告情報格納部に格納する広告情報更新部と、
クライアントからの検索語の入力を受け付けて、前記検索語に対応付けられた前記第二の広告情報が前記第二の広告サーバの前記広告情報格納部に格納されている場合に、当該第二の広告情報を前記クライアントに出力する一方、前記検索語に対応付けられた前記第二の広告情報が前記第二の広告サーバの前記広告情報格納部に格納されていない場合に、前記検索語に対応付けられた前記第一の広告情報を前記クライアントに出力する広告情報抽出部と
を有する広告システム。
【請求項１１】
前記広告情報抽出部は、前記クライアントからの前記検索語に対応付けられた前記第一の広告情報および前記第二の広告情報が前記第二の広告サーバの前記広告情報格納部に格納されている場合に、当該第一の広告情報および前記第二の広告情報を前記クライアントに出力する請求項１０に記載の広告システム。
【請求項１２】
前記広告情報抽出部は、前記クライアントからの検索語に対応付けられた前記第二の広告情報が前記第二の広告サーバの前記広告情報格納部に格納されていない場合に、前記検索語に基づいて前記検索エンジンにより検索された検索結果を取得し、前記検索結果を前記クライアントに出力する請求項１１に記載の広告システム。
【請求項１３】
外部から受け付けた検索語に基づいて、インターネット上のウェブページへのリンク情報を含む広告情報を出力する広告サーバであって、
前記広告サーバは、
検索語に対応付けて一の広告情報を格納する広告情報格納部と、
検索語に対応付けて前記広告サーバと異なる他の広告サーバに格納された、インターネット上のウェブページへのリンク情報を含む他の広告情報を、前記他の広告サーバから取得して前記広告情報格納部に格納する広告情報更新部と、
前記外部からの検索語の入力を受け付けて、前記検索語に対応付けられた前記一の広告情報が前記広告情報格納部に格納されている場合に、当該一の広告情報を前記外部に出力する一方、前記検索語に対応付けられた前記一の広告情報が前記広告情報格納部に格納されていない場合に、当該検索語に対応付けられた前記他の広告情報を前記外部に出力する広告情報抽出部と
を備える広告サーバ。
【発明の詳細な説明】
【技術分野】
【０００１】
本発明は、広告システムおよび広告サーバに関する。特に、本発明は、第一の広告情報および第二の広告情報を含むウェブページをクライアントに出力する広告システムおよび広告サーバに関する。
【背景技術】
【０００２】
検索者により入力された検索語を受け付けて、検索サイトから取得した検索結果とともに事業者情報を出力するサーバが知られている（例えば、特許文献１参照）。
【特許文献１】特開２００６−１２７２８４号公報
【発明の開示】
【発明が解決しようとする課題】
【０００３】
しかしながら、特許文献１に記載の複数のサーバおよび複数の検索サイトがインターネット上に存在する場合、事業者情報の露出拡大を図る事業者は、複数の当該サーバに事業者情報を登録しなければならないという不具合がある。
【０００４】
また、特許文献１に記載のサーバと異なり、当該サーバが検索サイトに入力された検索語を受け付ける場合であっても、複数の当該サーバおよび複数の検索サイトがインターネット上に存在するときは、任意の検索サイトに入力された検索語が全ての当該サーバに送信されない限りにおいて、上記事業者は、複数の当該サーバに事業者情報を登録しなければならないという不具合がある。
【課題を解決するための手段】
【０００５】
上記課題を解決するために、本発明の第１の形態においては、クライアントに入力された検索語に基づいて、インターネット上のウェブページへのリンク情報を含む第一の広告情報を出力する第一の広告サーバと、クライアントに入力された検索語に基づいて、インターネット上のウェブページへのリンク情報を含む第二の広告情報を出力する第一の広告サーバと異なる第二の広告サーバとを備える広告システムであって、第一の広告サーバは、検索語に対応付けて第一の広告情報を格納する広告情報格納部と、検索語が入力された場合に、検索語に対応付けて広告情報格納部に格納された第一の広告情報を抽出し、抽出した第一の広告情報を出力する広告情報抽出部とを有し、第二の広告サーバは、検索語に対応付けて第二の広告情報を格納する広告情報格納部と、第一の広告サーバの広告情報格納部を参照し、第一の広告サーバの広告情報格納部に格納されている検索語に対応付けられた第一の広告情報を、第二の広告サーバの広告情報格納部に格納する広告情報更新部と、検索語が入力された場合に、検索語に対応付けて広告情報格納部に格納されている第一の広告情報および第二の広告情報を抽出し、第一の広告情報および第二の広告情報を出力する広告情報抽出部とを有する。これにより、一の広告サーバに格納された広告情報に加えて、他の広告サーバに格納された広告情報を出力することができる。
【０００６】
クライアントから検索語の入力を受け付けて、第一の検索エンジンによりインターネット上のウェブページを検索した検索結果を出力する第一の検索サーバと、クライアントから検索語の入力を受け付けて、第二の検索エンジンによりインターネット上のウェブページを検索した検索結果を出力する第二の検索サーバと、をさらに備え、第一の広告サーバの広告情報抽出部は、第一の検索サーバにより検索語が受け付けられた場合に、検索語に対応付けて広告情報格納部に格納された第一の広告情報を抽出し、第一の検索サーバに出力し、第一の検索サーバは、検索語に基づいて第一の検索エンジンから取得した検索結果、および、検索語に基づいて第一の広告サーバから取得した第一の広告情報を含むウェブページをクライアントに出力し、第二の広告サーバの広告情報抽出部は、第二の検索サーバにより検索語が受け付けられた場合に、検索語に対応付けて広告情報格納部に格納されている第一の広告情報および第二の広告情報を抽出し、第二の検索サーバに出力し、第二の検索サーバは、検索語に基づいて第二の検索エンジンから取得した検索結果、並びに、検索語に基づいて第二の広告サーバから取得した第一の広告情報および第二の広告情報を含むウェブページをクライアントに出力してもよい。これにより、一の検索サーバに検索語が入力された場合に、当該一の検索サーバと連携する一の広告サーバに格納された広告情報に加えて、当該一の検索サーバと異なる他の検索サーバと連携する他の広告サーバに格納された広告情報を出力することができる。
【０００７】
広告システムは、さらに、クライアントから入力された文書をウェブページとして公開する文書公開サーバを備え、文書公開サーバは、第二の広告サーバの広告情報格納部に格納された検索語に対応付けて、検索語を第二の広告サーバに出力する命令を格納する命令格納部と、第二の広告サーバの広告情報格納部に格納された検索語を文書から抽出する検索語抽出部と、検索語抽出部により抽出された文書に含まれる検索語のそれぞれに、検索語に対応付けて命令格納部に格納された命令を設定する命令設定部とを有し、文書公開サーバは、クライアントから検索語を受け付けた場合に、当該検索語に対応付けて命令設定部により設定された前期命令を実行し、検索語を第二の広告サーバに出力してもよい。これにより、文書公開サーバにより公開された文書の閲覧者に第一の広告情報および第二の広告情報の露出させることができる。
【０００８】
広告システムは、さらに、クライアントから入力された文書をウェブページとして公開する文書公開サーバを備え、文書公開サーバは、第二の広告サーバの広告情報格納部に格納された検索語に対応付けて、検索語を第二の検索サーバに出力する命令を格納する命令格納部と、第二の広告サーバの広告情報格納部に格納された検索語を文書から抽出する検索語抽出部と、検索語抽出部により抽出された文書に含まれる検索語のそれぞれに、検索語に対応付けて命令格納部に格納された命令を設定する命令設定部とを有し、文書公開サーバは、クライアントから検索語を受け付けた場合に、当該検索語に対応付けて命令設定部により設定された前期命令を実行し、検索語を第二の検索サーバに出力してもよい。これにより、文書公開サーバにより公開された文書の閲覧者に第一の広告情報および第二の広告情報の露出させることができる。
【０００９】
広告情報更新部は、第一の広告サーバの広告情報格納部に格納されている検索語を取得し、検索語に対応する第二の広告情報が第二の広告サーバの広告情報格納部に格納されておらず、検索語に対応する第一の広告情報が第一の広告サーバの広告情報格納部に格納されている場合に、検索語および第一の広告情報を第二の広告サーバの広告情報格納部に追加して格納し、検索語に対応する第二の広告情報が第二の広告サーバの広告情報格納部に格納されており、検索語に対応する第一の広告情報が第一の広告サーバの広告情報格納部に格納されている場合には、第一の広告情報を第二の広告情報に追加して第二の広告サーバに格納してもよい。これにより、第一の広告サーバに格納されている第一の広告情報を第二の広告サーバに反映させることができる。
【００１０】
広告情報更新部は、定期的に、第一の広告サーバの広告情報格納部に格納されている第一の広告情報を、第二の広告サーバの広告情報格納部に格納してもよい。これにより、更新された第一の広告情報を、適宜、第二の広告サーバの広告情報格納部に反映させることができる。
【００１１】
第二の広告サーバの広告情報抽出部は、第二の広告情報が第一の広告情報よりも優先的にクライアントに表示させる出力をしてもよい。これにより、第一の広告サーバに広告情報を格納することに比べ、第二の広告サーバに広告情報を格納することのインセンティブを広告主に提示することができる。
【００１２】
第二の広告サーバの広告情報抽出部は、第一の広告情報および第二の広告情報に加え、インターネット上の辞書サーバから取得した検索語の意味に関する情報をクライアントに表示させる出力をしてもよい。これにより、第二の検索サーバの利便性を向上させることができる。よって、第二の検索サーバのアクセス数が増大し、第一の広告情報および第二の広告情報の露出の拡大を図ることができる。
【００１３】
上記課題を解決するために、本発明の第２の形態においては、外部から受け付けた検索語に基づいて、インターネット上のウェブページへのリンク情報を含む広告情報を出力する広告サーバであって、広告サーバは、検索語に対応付けて一の広告情報を格納する広告情報格納部と、検索語に対応付けて広告サーバと異なる他の広告サーバに格納された、インターネット上のウェブページへのリンク情報を含む他の広告情報を、他の広告サーバから取得して広告情報格納部に格納する広告情報更新部と、外部から検索語を受け付けた場合に、検索語に対応付けて広告情報格納部に格納されている一の広告情報および他の広告情報を抽出し、外部に出力する広告情報抽出部とを備える。これにより、第１の実施形態と同様の効果を得ることができる。
【００１４】
上記課題を解決するために、本発明の第３の形態においては、クライアントから検索語の入力を受け付けて、検索エンジンによりインターネット上のウェブページを検索した検索結果を出力する検索サーバと、検索サーバにより受け付けられた検索語に基づいて、インターネット上のウェブページへのリンク情報を含む第一の広告情報を出力する第一の広告サーバとクライアントにおけるインターネットのブラウザのＵＲＬ入力欄から検索語の入力を受け付けて、検索語に基づいて、インターネット上のウェブページへのリンク情報を含む第二の広告情報を出力する第二の広告サーバとを備えた広告システムであって、第二の広告サーバは、検索語に対応付けて、第二の広告情報を格納する広告情報格納部と、第一の広告サーバの広告情報格納部を参照し、第一の広告サーバの広告情報格納部に格納されている検索語に対応付けられた第一の広告情報を、第二の広告サーバの広告情報格納部に格納する広告情報更新部と、クライアントからの検索語の入力を受け付けて、検索語に対応付けられた第二の広告情報が第二の広告サーバの広告情報格納部に格納されている場合に、当該第二の広告情報をクライアントに出力する一方、検索語に対応付けられた第二の広告情報が第二の広告サーバの広告情報格納部に格納されていない場合に、検索語に対応付けられた第一の広告情報をクライアントに出力する広告情報抽出部とを有する広告システム。これにより、第１の実施形態と同様の効果を得ることができる。
【００１５】
広告情報抽出部は、クライアントからの検索語に対応付けられた第一の広告情報および第二の広告情報が第二の広告サーバの広告情報格納部に格納されている場合に、当該第一の広告情報および第二の広告情報をクライアントに出力してもよい。これにより、第１の実施形態と同様の効果を得ることができる。
【００１６】
広告情報抽出部は、クライアントからの検索語に対応付けられた第二の広告情報が第二の広告サーバの広告情報格納部に格納されていない場合に、検索語に基づいて検索エンジンにより検索された検索結果を取得し、検索結果をクライアントに出力してもよい。これにより、第１の実施形態と同様の効果を得ることができる。
【００１７】
上記課題を解決するために、本発明の第４の形態においては、外部から受け付けた検索語に基づいて、インターネット上のウェブページへのリンク情報を含む広告情報を出力する広告サーバであって、広告サーバは、検索語に対応付けて一の広告情報を格納する広告情報格納部と、検索語に対応付けて広告サーバと異なる他の広告サーバに格納された、インターネット上のウェブページへのリンク情報を含む他の広告情報を、他の広告サーバから取得して広告情報格納部に格納する広告情報更新部と、外部からの検索語の入力を受け付けて、検索語に対応付けられた一の広告情報が広告情報格納部に格納されている場合に、当該一の広告情報を外部に出力する一方、検索語に対応付けられた一の広告情報が広告情報格納部に格納されていない場合に、当該検索語に対応付けられた他の広告情報を外部に出力する広告情報抽出部とを備える。これにより、第１の実施形態と同様の効果を得ることができる。
【００１８】
なお、上記の発明の概要は、本発明の必要な特徴の全てを列挙したものではなく、これらの特徴群のサブコンビネーションもまた、発明となりうる。
【発明の効果】
【００１９】
以上の説明から明らかなように、本発明によれば、一の検索サーバに検索語が入力された場合に、当該一の検索サーバと連携する一の広告サーバに格納された広告情報に加えて、当該一の検索サーバと異なる他の検索サーバと連携する他の広告サーバに格納された広告情報を出力することができる。
【発明を実施するための最良の形態】
【００２０】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２１】
図１は広告システム１０の概略図である。図２は広告サーバ３０の広告情報格納部３４に格納された情報の一例を示す。図３は広告サーバ５０の広告情報格納部５４に格納された情報の一例を示す。図１に示すように、広告システム１０は、第一の検索サーバの一例である検索サーバ２０、第一の広告サーバの一例である広告サーバ３０、第二の検索サーバの一例である検索サーバ４０、第二の広告サーバの一例である広告サーバ５０および文書公開サーバ６０を備える。例えば検索サーバ２０はＡ社により設置および管理され、広告サーバ３０はＡ社と提携するＢ社により設置および管理される。また例えば検索サーバ４０はＣ社により設置および管理され、広告サーバ５０はＣ社と提携するＤ社により設置および管理される。
【００２２】
検索サーバ２０、検索サーバ４０および文書公開サーバ６０は、インターネット８０により互いに通信する。広告サーバ３０は、ＬＡＮ９０を介して検索サーバ２０と通信する。同様に、広告サーバ５０は、ＬＡＮ９２を介して検索サーバ４０と通信する。さらに、広告サーバ３０と広告サーバ５０は専用線９４を介して相互に通信する。広告サーバ５０と文書公開サーバ６０は専用線９６を介して相互に通信する。
【００２３】
例えば、検索サーバ２０および広告サーバ３０は、一のインターネットデータセンタに設置され、検索サーバ４０および広告サーバ５０は、他のインターネットデータセンタに設置されてもよい。
【００２４】
インターネット８０には、複数のウェブサーバ７２、辞書データベースを備える辞書サーバ７４、および、端末７０が接続している。なお、端末７０は、パーソナルコンピュータ、スマートフォン（ｓｍａｒｔ  ｐｈｏｎｅ）などである。
【００２５】
なお、上記接続形態と異なり広告サーバ３０は、インターネット８０を介して検索サーバ２０と通信してもよい。広告サーバ５０に関しても同様であってもよい。また広告サーバ３０、広告サーバ５０および文書公開サーバ６０に関しても、それぞれ、インターネット８０を介して相互に通信してもよい。
【００２６】
広告サーバ３０は、広告情報抽出部３２および広告情報格納部３４を備える。図２に示すように、広告情報格納部３４は、検索語に対応付けてウェブサーバ７２のウェブページへのリンク情報を含む広告情報、並びに、検索語および広告情報に対応付けて端末７０における広告情報の表示に関する優先順位を格納する。広告情報格納部３４は、例えば、端末７０から広告情報および広告料金に関する情報を含む登録要求を受け付けた場合に、当該広告料金に基づいて算出される優先順位とともに当該広告情報を格納する。
【００２７】
広告情報抽出部３２は、検索サーバ２０から検索語を取得して、当該検索語に対応付けて広告情報格納部３４に格納された広告情報および優先順位を抽出し、検索サーバ２０に出力する。
【００２８】
検索サーバ２０は、入出力部２２、検索エンジン２４および広告情報取得部２６を備える。入出力部２２は、端末７０から検索語を受け付ける。入出力部２２は、また、検索結果および広告情報を端末７０に出力する。検索エンジン２４は、検索語に基づいてウェブサーバ７２のウェブページを検索した検索結果を取得する。広告情報取得部２６は、受け付けた検索語を広告サーバ３０に出力する。広告情報取得部２６は、また、広告サーバ３０から広告情報および優先順位を取得する。なお、検索サーバ２０は、検索語を受け付けるポータルサイトをインターネット上で公開するサーバであって、検索エンジン２４を内在していなくてもよい。この場合には、検索サーバ２０は、検索語を受け付けた場合に、当該検索サーバ２０の外部にある検索エンジン２４に当該検索語を通知して、当該検索エンジン２４による検索結果を受け取る。
【００２９】
広告サーバ５０は、広告情報抽出部５２、広告情報格納部５４および広告情報更新部５６を備える。
【００３０】
図３に示すように、広告情報格納部５４は、検索語に対応付けて上記広告情報、上記優先順位および区分を格納する。広告情報格納部５４は、例えば、端末７０から広告情報および広告料金に関する情報を含む登録要求を受け付けた場合に、当該広告料金に基づいて算出される優先順位とともに当該広告情報を格納する。また、広告情報格納部５４は、広告サーバ５０の広告情報格納部５４に登録された広告情報に対応付けて区分「自」を格納し、広告サーバ３０の広告情報格納部３４に登録された広告情報に対応付けて区分「他」を格納する。広告情報格納部５４は、端末７０から上記登録要求を受け付けた場合に、当該広告情報に対応付けて区分「自」を格納する。広告情報格納部５４は、上述するように、広告情報更新部５６によって、広告サーバ３０の広告情報格納部３４に登録された広告情報が追加される場合に、当該広告情報に対応付けて区分「他」を格納する。さらに、広告情報格納部５４は、広告情報が広告情報格納部５４に格納された広告情報である旨を視覚的に示す図３において非図示の識別マークをさらに格納する。
【００３１】
広告情報更新部５６は、広告サーバ３０の広告情報格納部３４を参照し、広告サーバ３０の広告情報格納部３４に格納されている検索語に対応付けられた広告情報を、広告情報格納部５４に格納する。具体的には、広告情報更新部５６は、広告サーバ３０の広告情報格納部３４に格納されている検索語を取得し、その検索語に対応する広告情報が広告情報格納部５４に格納されているか否かを検索する。広告情報更新部５６は、その検索語に対応する広告情報が広告情報格納部５４に格納されていない場合には、その検索語に対応する広告情報を広告サーバ３０の広告情報格納部３４から取得し、広告サーバ５０の広告情報格納部５４に追加して格納する。一方、広告情報更新部５６は、その検索語に対応する広告情報が広告情報格納部５４に格納されており、その検索語に対応する他の広告情報が広告サーバ３０の広告情報格納部３４に格納されている場合には、広告情報格納部３４に格納されている当該他の広告情報を、広告情報格納部５４に格納されている広告情報に追加して、広告情報格納部５４に格納する。
【００３２】
広告情報抽出部５２は、検索サーバ４０から検索語を取得して、当該検索語に対応付けて広告情報格納部５４に格納された広告情報、優先順位および区分を抽出し、検索サーバ４０に出力する。すなわち広告情報抽出部５２は、広告情報として、広告情報格納部５４に登録された広告情報、および、広告情報格納部３４に登録された広告情報であって広告情報更新部５６によって広告情報格納部５４に格納された広告情報を検索サーバ４０に出力する。
【００３３】
検索サーバ４０は、入出力部４２、検索エンジン４４、広告情報取得部４６および辞書情報取得部４８を備える。入出力部４２は、端末７０から検索語を受け付ける。入出力部４２は、また、検索結果、広告情報、および、検索語の意味に関する情報を端末７０に出力する。検索エンジン４４は、検索語に基づいてウェブサーバ７２のウェブページを検索した検索結果を取得する。広告情報取得部４６は、受け付けた検索語を広告サーバ５０に出力する。広告情報取得部４６は、また、広告サーバ５０から広告情報、優先順位および区分を取得する。すなわち広告情報取得部４６は、広告情報として、広告情報格納部５４に登録された広告情報、および、広告情報格納部３４に登録された広告情報であって広告情報更新部５６によって広告情報格納部５４に格納された広告情報を取得する。なお、検索サーバ４０は、検索語を受け付けるポータルサイトであってよいことは、上記検索サーバ２０と同様である。
【００３４】
辞書情報取得部４８は、検索語を受け付けて辞書サーバ７４に送信する。辞書情報取得部４８は、また、当該検索語の意味に関する情報を辞書サーバ７４から取得する。
【００３５】
文書公開サーバ６０は、文書入出力部６１、検索語取得部６３、命令格納部６５、検索語抽出部６７および命令設定部６９を備える。文書公開サーバ６０の一例は、ブログをインターネット上で公開するサーバである。文書入出力部６１は、端末７０から文書の入力を受け付ける。文書入出力部６１は、検索語を検索サーバ４０に出力する命令が設定された文書を公開する。この命令は、文書中の検索語がクリックされた場合に実行される命令であって、出力先である検索サーバ４０を識別する情報および送信する検索語を特定する情報を含む。さらに文書入出力部６１は、公開された文書中の検索語がクリックされた旨の情報を受け付けて、当該検索語に設定された命令を出力する。
【００３６】
検索語取得部６３は、定期的に、例えば２４時間毎に、広告サーバ５０の広告情報格納部５４から検索語を取得する。検索語取得部６３は、定期的に検索語を取得することにかえてまたは加えて、広告サーバ５０の広告情報格納部５４に新たに検索語が追加された場合に、当該追加された検索語を取得してもよい。
【００３７】
命令格納部６５は、検索語取得部６３により取得された検索語に基づいて、上記命令を生成する。そして命令格納部６５は、生成した命令を当該検索語に対応付けて格納する。検索語抽出部６７は、受け付けた文書中から、検索語取得部６３により取得された検索語に一致する語を抽出する。命令設定部６９は、文書に含まれる検索語のそれぞれに、検索語に対応付けて命令格納部６５に格納された命令を設定する。
【００３８】
これにより、文書公開サーバ６０は、公開された文書中の検索語がクリックされた旨の情報を受け付けた場合に、検索サーバ４０のＩＰアドレスまたはＵＲＬおよび当該検索語を引数として含むＧＥＴメソッド、またはＰＯＳＴメソッド等により、検索サーバ４０に当該検索語を送信することができる。
【００３９】
図４は広告サーバ３０等の動作の一例を示すフローチャートである。図５は検索サーバ２０からの出力結果の一例を示す。図６は検索サーバ２０からの出力結果の一例を模式的に示す。図４に示すフローチャートは、検索サーバ２０への検索語の送信を受け付ける検索画面を表示した端末７０において、検索語が入力されることにより開始する。本フローチャートにおいて、検索語「保険」が入力されたものとする。また、本フローチャートの開始時において、広告情報格納部３４は、図２に示す情報を格納しているものとする。また、本フローチャートの左側は端末７０の動作を、中央は検索サーバ２０の動作を、右側は広告サーバ３０の動作をそれぞれ示す。
【００４０】
端末７０は、検索語「保険」を検索サーバ２０の入出力部２２に送信する（Ｓ１００）。入出力部２２は、受信した検索語「保険」を検索エンジン２４および広告情報取得部２６に受け渡す。広告情報取得部２６は、取得した検索語「保険」を広告サーバ３０の広告情報抽出部３２に送信する（Ｓ１０５）。
【００４１】
検索エンジン２４は、検索語「保険」に基づいてウェブサーバ７２のウェブページを検索した検索結果を取得する（Ｓ１１０）。検索エンジン２４は、取得した検索結果を入出力部２２に受け渡す。
【００４２】
広告情報抽出部３２は、受信した検索語「保険」に対応付けて広告情報格納部３４に格納された広告情報を優先順位とともに抽出する（Ｓ１１５）。広告情報抽出部３２は、抽出した広告情報および優先順位を検索サーバ２０の広告情報取得部２６に送信する（Ｓ１２０）。広告情報取得部２６は、受信した広告情報および優先順位を入出力部２２に受け渡す。
【００４３】
入出力部２２は、取得した検索結果、並びに、広告情報および優先順位に基づいて、検索結果および広告情報を含むＨＴＭＬファイルを生成する。ここで入出力部２２は、より高い優先順位の広告情報がより上部に表示されるＨＴＭＬファイルを生成する。そして入出力部２２は、生成したＨＴＭＬファイルを端末７０に送信する（Ｓ１２５）。端末７０は、図５に示すように、受信した、検索結果および広告情報を含むＨＴＭＬファイルを表示する（Ｓ１３０）。そして本フローチャートは終了する。
【００４４】
図６に示すように、ステップＳ１３０において端末７０は、検索結果出力領域１２０に検索結果を表示するとともに、広告情報出力領域１００に広告情報１０４、１０６、１０８を、図２に示す優先順位の通り、上から順に表示する。なお、端末７０は、広告情報出力領域１００に表示される広告情報より低い優先順位の広告情報を広告情報出力領域１１０に表示する。
【００４５】
図７は、広告情報更新部５６の動作の一例を示すフローチャートである。図８は、広告サーバ５０の広告情報格納部５４に格納された情報の一例を示す。図７に示すフローチャートは所定の時刻に開始する。なお、本フローチャートの開始時において、広告サーバ３０の広告情報格納部３４は図２に示す情報を格納し、広告サーバ５０の広告情報格納部５４は図３に示す情報を格納しているものとする。
【００４６】
広告情報更新部５６は、広告サーバ３０の広告情報格納部３４に格納されている検索語、当該検索語に対応付けられた広告情報、当該広告情報に対応付けられた優先順位を取得する（Ｓ２００）。広告情報更新部５６は、取得した検索語が広告サーバ５０の広告情報格納部５４に格納されているか否かを判断する（Ｓ２１０）。
【００４７】
ステップＳ２１０において、広告情報更新部５６は取得した検索語が広告サーバ５０の広告情報格納部５４に格納されていると判断した場合には（Ｓ２１０：Ｙｅｓ）、図２、３、８に示すように、検索語「保険」に対応付けて広告サーバ３０に格納されている広告情報の優先順位「１」を、検索語「保険」に対応付けて広告サーバ５０に格納されている広告情報の最も低い優先順位「１」に続く優先順位「２」に書き換え、検索語「保険」に対応付けて広告サーバ３０に格納されている広告情報の優先順位「２」「３」・・・を、優先順位「３」「４」・・・に書き換えて、書き換えた優先順位「２」「３」「４」・・・に対応付けて取得した広告情報を広告サーバ５０の広告情報格納部５４に追加する（Ｓ２２０）。そして本フローチャートは終了する。
【００４８】
一方、ステップＳ２１０において、広告情報更新部５６は取得した検索語が広告サーバ５０の広告情報格納部５４に格納されていないと判断した場合には（Ｓ２１０：Ｎｏ）、取得した検索語、広告情報および優先順位を、広告サーバ５０の広告情報格納部５４に追加する（Ｓ２３０）。そして本フローチャートは終了する。
【００４９】
なお、広告情報更新部５６は、ステップＳ２２０、２３０において、図８に示すように、追加した広告情報に対応付けて区分「他」をセットする。
【００５０】
図９は、広告サーバ５０等の動作の一例を示すフローチャートである。図１０は、検索サーバ４０からの出力結果の一例を示す。図１１は、検索サーバ４０からの出力結果の一例を模式的に示す。図９に示すフローチャートは、検索サーバ４０への検索語の送信を受け付ける検索画面を表示した端末７０において、検索語が入力されることにより開始する。本フローチャートにおいて、検索語「保険」が入力されたものとする。なお、本フローチャートの開始時において、広告サーバ５０の広告情報格納部５４は図８に示す情報を格納しているものとする。また、本フローチャートの左側は端末７０の動作を、中央は検索サーバ４０の動作を、右側は広告サーバ５０の動作をそれぞれ示す。
【００５１】
端末７０は、検索語「保険」を検索サーバ４０の入出力部４２に送信する（Ｓ３００）。入出力部４２は、受信した検索語「保険」を検索エンジン４４、辞書情報取得部４８および広告情報取得部４６に受け渡す。広告情報取得部４６は、取得した検索語「保険」を広告サーバ５０の広告情報抽出部５２に送信する（Ｓ３０５）。
【００５２】
検索エンジン４４は、検索語「保険」に基づいてウェブサーバ７２のウェブページを検索した検索結果を取得する（Ｓ３１０）。検索エンジン４４は、取得した検索結果を入出力部４２に受け渡す。
【００５３】
辞書情報取得部４８は、検索語「保険」を辞書サーバ７４に送信し、検索語「保険」の意味に関する情報を辞書サーバ７４から取得する（Ｓ３１２）。辞書情報取得部４８は、取得した検索語「保険」の意味に関する情報を入出力部４２に受け渡す。
【００５４】
広告情報抽出部５２は、受信した検索語「保険」に対応付けて広告情報格納部５４に格納された広告情報を区分および優先順位とともに抽出する（Ｓ３１５）。広告情報抽出部５２は、抽出した広告情報、区分および優先順位を検索サーバ４０の広告情報取得部４６に送信する（Ｓ３２０）。広告情報取得部４６は、受信した広告情報、区分および優先順位を入出力部４２に受け渡す。
【００５５】
入出力部４２は、取得した検索結果、意味に関する情報、並びに、受信した広告情報、区分および優先順位に基づいて、検索結果、意味に関する情報および広告情報を含むＨＴＭＬファイルを生成する。ここで入出力部４２は、より高い優先順位の広告情報がより上部に表示され、区分「自」に対応する広告情報に識別マークが表示されるＨＴＭＬファイルを生成する。そして、入出力部４２は、生成したＨＴＭＬファイルを端末７０に送信する（Ｓ３２５）。端末７０は、図１０に示すように、受信した、検索結果および広告情報を含むＨＴＭＬファイルを表示する（Ｓ３３０）。そして本フローチャートは終了する。
【００５６】
図１１に示すように、ステップＳ３３０において端末７０は、検索結果出力領域２２０に検索語「保険」の検索結果を表示し、辞書情報出力領域２３０に検索語「保険」の意味に関する情報をするとともに、広告情報出力領域２００に広告情報２０２、２０４、２０６を、図８に示す優先順位の通り、上から順に表示する。また、端末７０は、広告サーバ５０の広告情報格納部５４に登録されている広告情報２０２に対応付けて識別マーク２９０を表示する。なお、広告情報２０４、２０６は、図６に示す広告情報１０４、１０６と同一である。
【００５７】
なお、図９において検索サーバ４０を用いなくてもよい。検索サーバ４０を用いない場合には、ステップＳ３００において端末７０は、検索サーバ４０の入出力部４２にかえて、広告サーバ５０の広告情報抽出部５２に検索語「保険」を送信する（Ｓ３００）。ステップＳ３１５において広告情報抽出部５２は、受信した検索語「保険」に対応付けて広告情報格納部５４に格納された広告情報を区分および優先順位とともに抽出するとともに、検索語「保険」を辞書サーバ７４に送信し、検索語「保険」の意味に関する情報を辞書サーバ７４から取得してもよい。そして広告情報抽出部５２は、取得した意味に関する情報、抽出した広告情報、区分および優先順位に基づいて、意味に関する情報および広告情報を含むＨＴＭＬファイルを生成する。そしてステップＳ３２０において広告情報抽出部５２は、生成したＨＴＭＬファイルを端末７０に送信する（Ｓ３２０）。
【００５８】
図１２は、文書公開サーバ６０等の動作の一例を示すフローチャートである。図１２に示すフローチャートは、文書入出力部６１が、公開されている文書中の検索語がクリックされた旨の通知受け付けることにより開始する。本フローチャートにおいて、文章中の検索語「保険」がクリックされたものとする。なお、本フローチャートの開始時において、広告サーバ５０の広告情報格納部５４は図８に示す情報を格納しているものとする。なお、本フローチャートの左端は端末７０の動作を、左から二番目は文書公開サーバ６０の動作を、左から三番目は検索サーバ４０の動作を、右端は広告サーバ５０の動作をそれぞれ示す。
【００５９】
端末７０は、検索語「保険」がクリックされた旨の情報を文書公開サーバ６０の文書入出力部６１に送信する（Ｓ５００）。文書入出力部６１は、当該検索語に設定された命令を実行することにより、検索語「保険」を検索サーバ４０の入出力部４２に送信する（Ｓ５０２）。以下、ステップＳ５０５からステップＳ５３０は、図９に示すステップＳ３０５からステップＳ３３０と同様なので説明を省略する。
【００６０】
なお、図１２において検索サーバ４０を用いなくてもよい。検索サーバ４０を用いない場合には、ステップＳ５０２において文書公開サーバ６０の文書入出力部６１は、検索サーバ４０の入出力部４２にかえて、広告サーバ５０の広告情報抽出部５２に検索語「保険」を送信する（Ｓ５０２）。ステップＳ５１５において広告サーバ５０の広告情報抽出部５２は、受信した検索語「保険」に対応付けて広告情報格納部５４に格納された広告情報を区分および優先順位とともに抽出する（Ｓ５１５）。広告情報抽出部５２は、抽出した広告情報、区分および優先順位に基づいて、広告情報を含むＨＴＭＬファイルを生成する。そしてステップＳ５２０において広告情報抽出部５２は、生成したＨＴＭＬファイルを端末７０に送信する（Ｓ５２０）。
【００６１】
図１３は、広告サーバ５０の他の実施形態を示すフローチャートである。図１３に示す実施形態において、端末７０のブラウザには、広告サーバ５０にコマンドを送信するためのソフトウェアがプラグインされる。そして、端末７０のブラウザにおけるＵＲＬ入力欄に検索語が入力された場合に、当該ソフトウェアが検索語を広告サーバ５０に送信する。広告サーバ５０は、端末７０から受信した検索語に対応付けて広告情報が格納されている場合には当該広告情報を端末７０に出力し、広告情報が格納されていない場合には検索エンジンによる検索結果を端末７０に出力する。
【００６２】
まず、図１３に示すフローチャートは、広告サーバ５０への検索語の送信を受け付ける検索画面を表示した端末７０において、検索語が入力されることにより開始する。本フローチャートにおいて、検索語「保険」が入力されたものとする。本フローチャートの左側は端末７０の動作を、中央は広告サーバ５０の動作を、右側は検索サーバ４０の動作をそれぞれ示す。なお、上記検索画面は、検索サーバ４０への検索語の送信を受け付ける検索画面に、広告サーバ５０への検索語の送信を受け付ける機能をプラグインした画面であって、ブラウザのＵＲＬ入力欄に検索語を入力した場合に、広告サーバ５０へ当該検索語が送信されるものとする。なお、本フローチャートにおいては、広告サーバ５０は、インターネット８０に接続しているものとする。
【００６３】
端末７０は、検索語「保険」を広告サーバ５０の広告情報抽出部５２に送信する（Ｓ６００）。広告情報抽出部５２は、受信した検索語「保険」に対応付けて、区分「自」である広告情報が広告情報格納部５４に格納されているか否かを判断する（Ｓ６０５）。ステップＳ６０５において、広告情報抽出部５２は受信した検索語「保険」に対応付けて、区分「自」である広告情報が広告情報格納部５４に格納されていると判断した場合（Ｓ６０５：Ｙｅｓ）、広告情報抽出部５２は検索語「保険」に対応付けて広告情報格納部５４に格納された区分「自」である広告情報を優先順位とともに抽出する（Ｓ６１０）。
【００６４】
広告情報抽出部５２は、抽出した広告情報および優先順位に基づいて、広告情報を含むＨＴＭＬファイルを生成する。ここで広告情報抽出部５２は、優先順位のより高い広告情報がより上部に表示されるＨＴＭＬファイルを生成する。この場合に、広告情報抽出部５２は、優先順位が最も高い広告情報に含まれるリンク先のウェブページを取得して上記ＨＴＭＬファイルとしてもよい。そして、広告情報抽出部５２は、生成したＨＴＭＬファイルを端末７０に送信する（Ｓ６１５）。端末７０は、受信した広告情報を含むＨＴＭＬファイルを表示する（Ｓ６５０）。そして本フローチャートは終了する。
【００６５】
一方、ステップＳ６０５において、広告情報抽出部５２は受信した検索語「保険」に対応付けて、区分「自」である広告情報が広告情報格納部５４に格納されていないと判断した場合（Ｓ６０５：Ｎｏ）、広告情報抽出部５２は、検索語「保険」を検索サーバ４０の入出力部４２に送信するとともに（Ｓ６２０）、検索語「保険」に対応付けて広告情報格納部５４に格納された区分「他」である広告情報を優先順位とともに抽出する（Ｓ６２５）。
【００６６】
ステップＳ６２０において検索語「保険」を受信した入出力部４２は、受信した検索語「保険」を検索エンジン４４および辞書情報取得部４８に受け渡す。検索エンジン４４は、検索語「保険」に基づいてウェブサーバ７２のウェブページを検索した検索結果を取得する（Ｓ６３０）。検索エンジン４４は、取得した検索結果を入出力部４２に受け渡す。辞書情報取得部４８は、検索語「保険」を辞書サーバ７４に送信し、検索語「保険」の意味に関する情報を辞書サーバ７４から取得する（Ｓ６３５）。辞書情報取得部４８は、取得した検索語「保険」の意味に関する情報を入出力部４２に受け渡す。入出力部４２は、取得した検索結果および検索語「保険」の意味に関する情報を広告サーバ５０の広告情報抽出部５２に送信する（Ｓ６４０）。
【００６７】
広告情報抽出部５２は、ステップＳ６２５において抽出した広告情報および優先順位、並びに、ステップＳ６４０において受信した検索結果および検索語「保険」の意味に関する情報に基づいて、広告情報を含むＨＴＭＬファイルを生成する。そして、広告情報抽出部５２は、生成したＨＴＭＬファイルを端末７０に送信する（Ｓ６４５）。端末７０は、受信した広告情報を含むＨＴＭＬファイルを表示する（Ｓ６５０）。そして本フローチャートは終了する。
【００６８】
なお、ステップＳ６１０において広告情報抽出部５２は、検索語「保険」に対応付けて広告情報格納部５４に格納された区分「自」である広告情報を優先順位とともに抽出しているが、区分「自」である広告情報に限定せずに検索語「保険」に対応付けて広告情報格納部５４に格納された全ての広告情報を優先順位とともに抽出してもよい。また、同ステップにおいて、区分「自」の広告情報が抽出された場合であっても、ステップＳ６２０からＳ６４５と同様に、当該広告情報を検索エンジンによる検索結果と共に端末７０に表示するＨＴＭＬを生成してもよい。
【００６９】
なお、ステップＳ６２０において、広告情報抽出部５２は、検索サーバ４０にかえて検索サーバ２０に、検索語を送信してもよい。
【００７０】
なお、図１３において文書公開サーバ６０を用いてもよい。文書公開サーバ６０を用いる場合には、ステップＳ６００において端末７０は、広告サーバ５０の広告情報抽出部５２にかえて、文書公開サーバ６０の文書入出力部６１に検索語「保険」を送信してもよい（Ｓ６００）。そして文書公開サーバ６０の文書入出力部６１は、検索語「保険」を広告サーバ５０の広告情報抽出部５２に送信する。
【００７１】
以上の本実施形態によれば、広告サーバ５０は、広告サーバ３０に格納された広告情報を反映した広告情報を出力することができる。なお、本実施形態において、検索サーバ４０は、より優先順位が高い広告情報をより上部に表示するＨＴＭＬファイルを生成したが、これにかえてまたは加えて、優先順位が高い広告情報を大きな文字、目立つ色または目立つ書体などにより強調して表示するＨＴＭＬファイルを生成してもよい。
【００７２】
さらに、本実施形態において、文書公開サーバ６０は、文書入出力部６１、検索語取得部６３、命令格納部６５、検索語抽出部６７および命令設定部６９を備えるが、命令格納部６５にかえて、広告サーバ５０の広告情報格納部５４に格納された検索語に対応付けて、当該検索語に基づいて検索サーバ４０により出力されるそれぞれのウェブページへのリンク情報を格納するリンク情報格納部を備え、命令設定部６９にかえて、検索語抽出部６７により抽出された文書に含まれる検索語のそれぞれに、その検索語に対応付けてリンク情報格納部に格納されたリンク情報を設定するリンク情報設定部を備えてもよい。
【００７３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００７４】
【図１】広告システム１０の概略図である。
【図２】広告サーバ３０の広告情報格納部３４に格納された情報の一例を示す。
【図３】広告サーバ５０の広告情報格納部５４に格納された情報の一例を示す。
【図４】広告サーバ３０等の動作の一例を示すフローチャートである。
【図５】検索サーバ２０からの出力結果の一例を示す。
【図６】検索サーバ２０からの出力結果の一例を模式的に示す。
【図７】広告情報更新部５６の動作の一例を示すフローチャートである。
【図８】広告サーバ５０の広告情報格納部５４に格納された情報の一例を示す。
【図９】広告サーバ５０等の動作の一例を示すフローチャートである。
【図１０】検索サーバ４０からの出力結果の一例を示す。
【図１１】検索サーバ４０からの出力結果の一例を模式的に示す。
【図１２】文書公開サーバ６０等の動作の一例を示すフローチャートである。
【図１３】広告サーバ５０等の他の動作の一例を示すフローチャートである。
【符号の説明】
【００７５】
１０  広告システム
２０  検索サーバ
２２  入出力部
２４  検索エンジン
２６  広告情報取得部
３０  広告サーバ
３２  広告情報抽出部
３４  広告情報格納部
４０  検索サーバ
４２  入出力部
４４  検索エンジン
４６  広告情報取得部
４８  辞書情報取得部
５０  広告サーバ
５２  広告情報抽出部
５４  広告情報格納部
５６  広告情報更新部
６０  文書公開サーバ
６１  文書入出力部
６３  検索語取得部
６５  命令格納部
６７  検索語抽出部
６９  命令設定部
７０  端末
７２  ウェブサーバ
７４  辞書サーバ
８０  インターネット
９０  ＬＡＮ
９２  ＬＡＮ
９４  専用線
９６  専用線
１００  広告情報出力領域
１０４  広告情報
１０６  広告情報
１０８  広告情報
１１０  広告情報出力領域
１２０  検索結果出力領域
２００  広告情報出力領域
２０２  広告情報
２０４  広告情報
２０６  広告情報
２２０  検索結果出力領域
２３０  辞書情報出力領域
２９０  識別マーク
【図１】
2008040692.tif 000003
【図２】
2008040692.tif 000004
【図３】
2008040692.tif 000005
【図４】
2008040692.tif 000006
【図５】
2008040692.tif 000007
【図６】
2008040692.tif 000008
【図７】
2008040692.tif 000009
【図８】
2008040692.tif 000010
【図９】
2008040692.tif 000011
【図１０】
2008040692.tif 000012
【図１１】
2008040692.tif 000013
【図１２】
2008040692.tif 000014
【図１３】
2008040692.tif 000015